(57)【特許請求の範囲】
【請求項１】
回転可能に支持された巻取り軸２と、その巻取り軸２に形成されたガイド溝９にスライド可能に保持されて前記巻取り軸２の端から突出可能なスライドバー１０と、そのスライドバー１０に一端が固定された捨て布７と、その捨て布７の他端に着脱可能に接続されたスクリーン３と、そのスクリーン３と前記捨て布７を巻き取る方向に前記巻取り軸２に回転力を付与するコイルばね１７と、前記スライドバー１０の前記巻取り軸２の端から突出する部分と係合して前記巻取り軸２の回転を阻止する係合部材１３とを有するロールスクリーン装置。
【請求項２】
前記スライドバー１０の前記巻取り軸２の端から突出する部分に前記巻取り軸２の周方向を深さ方向とする凹部１２を形成し、その凹部１２に前記係合部材１３が入り込むようにした請求項１に記載のロールスクリーン装置。
【発明の詳細な説明】
【技術分野】
【０００１】
この発明は、主として電車の窓に取り付けられるロールスクリーン装置に関する。
【背景技術】
【０００２】
電車の窓には、一般に、日除け用のロールスクリーン装置が取り付けられる。このロールスクリーン装置は、スクリーンに汚れや破れが生じると、スクリーンを取り外して交換する。
【０００３】
このスクリーンの交換作業が容易なロールスクリーン装置として、コイルばねで回転力を付与された巻取り軸と、その巻取り軸に一端が固定された捨て布と、その捨て布の他端にスライド可能に接続されて捨て布の側縁から突出可能なジョイント材と、そのジョイント材に着脱可能に接続されたスクリーンとを有するロールスクリーン装置が知られている（特許文献１）。
【０００４】
このロールスクリーン装置は、捨て布を引き出した状態でジョイント材をスライドさせて捨て布の側縁から突出させ、その突出した部分を窓枠の切欠きに引っ掛け、その引っ掛けにより捨て布の巻取りを阻止し、その状態でジョイント材からスクリーンを取り外して行なう。
【０００５】
しかし、捨て布の側縁から突出した部分を窓枠の切欠きに引っ掛けた状態のジョイント材は、コイルばねが巻取り軸に付与する回転力により、捨て布を介して引っ張られる。そのため、このロールスクリーン装置は、ジョイント材が傾いて切欠きから抜けやすく、捨て布の不測の巻取りが生じやすかった。また、このロールスクリーン装置は、ジョイント材の捨て布の側縁から突出する部分を引っ掛ける切欠きが窓枠に必要なので、窓枠の美感を損ねやすかった。
【特許文献１】特開２００１−２０６４３号公報
【発明の開示】
【発明が解決しようとする課題】
【０００６】
この発明が解決しようとする課題は、スクリーンの交換作業中に捨て布の巻取りをより確実に防止することができるロールスクリーン装置を提供することである。
【課題を解決するための手段】
【０００７】
上記の課題を解決するために、回転可能に支持された巻取り軸と、その巻取り軸に形成されたガイド溝にスライド可能に保持されて前記巻取り軸の端から突出可能なスライドバーと、そのスライドバーに一端が固定された捨て布と、その捨て布の他端に着脱可能に接続されたスクリーンと、そのスクリーンと前記捨て布を巻き取る方向に前記巻取り軸に回転力を付与するコイルばねと、前記スライドバーの前記巻取り軸の端から突出する部分と係合して前記巻取り軸の回転を阻止する係合部材とを有する構成をロールスクリーン装置に採用した。
【０００８】
このロールスクリーン装置は、前記スライドバーの前記巻取り軸の端から突出する部分に前記巻取り軸の周方向を深さ方向とする凹部を形成し、その凹部に前記係合部材が入り込むようにするとより好ましいものとなる。
【発明の効果】
【０００９】
この発明のロールスクリーン装置は、スライドバーを巻取り軸の端から突出させ、その突出した部分を係合部材に係合させて巻取り軸の回転を阻止したときに、スライドバーが巻取り軸のガイド溝に保持されているので、係合部材に対するスライドバーの姿勢が安定し、スライドバーと係合部材の係合がはずれにくい。そのため、捨て布の不測の巻取りが生じにくく、スクリーン交換の作業性に優れる。
【００１０】
さらに、前記スライドバーの前記巻取り軸の端から突出する部分に前記巻取り軸の周方向を深さ方向とする前記凹部を形成したものは、スライドバーと係合部材が係合したときに、係合部材が凹部に入り込んでスライドバーの軸方向移動を規制するので、スライドバーと係合部材の係合がよりはずれにくく、捨て布の不測の巻取りをより確実に防止することができる。
【発明を実施するための最良の形態】
【００１１】
図１に、この発明の実施形態のロールスクリーン装置を示す。このロールスクリーン装置は、対向一対のブラケット１Ａ，１Ｂと、そのブラケット１Ａ，１Ｂで両端を回転可能に支持された巻取り軸２と、巻取り軸２に巻き取られるスクリーン３とを有する。
【００１２】
スクリーン３の巻き終わり側端部は、対向一対のガイドレール４Ａ，４Ｂで案内される操作バー５に接続され、その操作バー５の昇降操作によってスクリーン３が開閉される。操作バー５は、各ガイドレール４Ａ，４Ｂの上端から操作バー５の内部を通って他方のガイドレールの下端に至る２本のワイヤ６Ａ，６Ｂにより姿勢を保持され、水平な姿勢で昇降する。
【００１３】
スクリーン３は、図２に示す捨て布７を介して巻取り軸２に巻き付けられており、スクリーン３が閉じた状態から更にスクリーン３を引き出すと、捨て布７が現れる。捨て布７の巻き終わり側端部は、スクリーン３に着脱可能に接続されている。この接続は、たとえば、スクリーン３の巻き始め側端部にファスナのむしを植え込み、そのむしをスライド可能に保持する溝を形成したジョイント８を捨て布７の巻き終わり側端部に取り付け、そのジョイント８の溝に、スクリーン３の巻き始め側端部のむしを導入して行なうことができる。
【００１４】
捨て布７の巻き始め側端部は、図３〜図５に示すように、巻取り軸２の外周のガイド溝９内に設けたスライドバー１０に固定されている。ガイド溝９は、巻取り軸２の軸方向に延びており、ガイド溝９内に形成された突条１１がスライドバー１０を保持している。スライドバー１０は、図４に示すように捨て布７を最後まで引き出した状態で、ガイド溝９に沿ってスライドさせて巻取り軸２の端から突出させることが可能となっており、その巻取り軸２の端から突出する部分には、図５に示すように、巻取り軸２の周方向を深さ方向とする凹部１２が形成されている。また、スライドバー１０が突出する側のブラケット１Ｂに固定された係合部材１３には、スライドバー１０の巻取り軸２の端から突出する部分を収容可能な開口１４が形成されている。
【００１５】
また、ブラケット１Ａには、図６に示すように、巻取り軸２の端部に嵌め込まれたエンドキャップ１５を回転可能に支持する支軸１６が固定されている。支軸１６には、巻取り軸２の内部に設けたコイルばね１７の一端が固定され、コイルばね１７の他端は、巻取り軸２と一体に回転するディスク１８に固定されている。そのため、スクリーン３を引き出して巻取り軸２を回転させると、コイルばね１７がねじり変形し、そのコイルばね１７の復元力により巻取り方向の回転量がディスク１８を介して巻取り軸２に付与される。
【００１６】
つぎに、スクリーン３の交換方法を説明する。
【００１７】
まず、捨て布７が現れるまでスクリーン３を引き出し、つづいて捨て布７を引き出す。さらに捨て布７を最後まで引き出し、その捨て布７を幅方向に移動させる。このとき、図７に示すように、捨て布７と一体にスライドバー１０が移動して巻取り軸２の端から突出し、その突出した部分が係合部材１３の開口１４に収容される。スライドバー１０の巻取り軸２の端から突出した部分が開口１４に収容されると、捨て布７から手を放しても、図８に示すようにスライドバー１０の巻取り軸２の端から突出した部分が係合部材１３の開口１４の縁に係合し、巻取り軸２は回転しない。また、係合部材１３の開口１４の縁がスライドバー１０の凹部１２に入り込み、スライドバー１０の軸方向移動を規制する。このように巻取り軸２の回転が阻止された状態で、捨て布７の巻き終わり側端部からスクリーン３を取り外して交換する。
【００１８】
その後、捨て布７を引っ張ってスライドバー１０の凹部１２から係合部材１３の開口１４の縁を抜け出させ、その状態で捨て布７を幅方向に移動させてスライドバー１０を係合部材１３の開口１４から抜き出し、捨て布７を巻取り軸２に巻き取らせる。
【００１９】
このロールスクリーン装置は、スライドバー１０の巻取り軸２の端から突出した部分を係合部材１３の開口１４に収容させて巻取り軸２の回転を阻止したときに、スライドバー１０がガイド溝９の突条１１に保持されているので、係合部材１３に対するスライドバー１０の姿勢が安定し、係合部材１３の開口１４からスライドバー１０が抜けにくい。そのため、捨て布７の不測の巻取りが生じにくく、スクリーン交換の作業性に優れる。
【００２０】
さらに、係合部材１３の開口１４の縁がスライドバー１０の凹部１２に入り込み、スライドバー１０の軸方向移動を規制するので、スライドバー１０が係合部材１３の開口１４からより抜けにくく、捨て布７の不測の巻取りをより確実に防止することができる。
【００２１】
また、このロールスクリーン装置は、外部から見えにくい巻取り軸２の位置にある係合部材１３に、スライドバー１０を係合させて巻取り軸２の回転を阻止するので、窓枠の美感を損なわない。
【００２２】
上記実施形態では、スライドバー１０の巻取り軸２の端から突出する部分を係合部材１３の開口１４に収容させて巻取り軸２の回転を阻止するようにしているが、スライドバー１０の巻取り軸２の端から突出する部分を、他の方式で係合部材に係合させて巻取り軸２の回転を阻止するようにしてもよい。たとえば、巻取り軸２の軸方向の突起を係合部材に形成し、その突起に、スライドバー１０の巻取り軸２の端から突出する部分を係合させて巻取り軸２の回転を阻止するようにしてもよい。要は、スライドバーの巻取り軸の端から突出する部分を係合部材と係合させて巻取り軸の回転を阻止すればよい。
【００２３】
また、上記実施形態では、スライドバー１０を、ガイド溝９内に形成した突条１１でスライド可能にガイド溝９に保持するようにしているが、他の方式でスライドバー１０をスライド可能にガイド溝９に保持するようにしてもよい。たとえば、ガイド溝９の縁に軸方向に延びるフランジを形成し、そのフランジでスライドバー１０をスライド可能にガイド溝９に保持するようにしてもよい。また、ガイド溝９を蟻溝形状にするとともにスライドバー１０を蟻ほぞ形状にしてもよい。
【００２４】
上記実施形態では、スライドバー１０と係合部材１３の係合をよりはずれにくくするためにスライドバー１０に凹部１２を形成しているが、凹部１２は必須ではない。
【図面の簡単な説明】
【００２５】
【図１】この発明のロールスクリーン装置の実施形態を示す正面図
【図２】図１のロールスクリーン装置の捨て布を最後まで引き出した状態を示す正面図
【図３】図１のIII−III線に沿った拡大断面図
【図４】図２のIV−IV線に沿った拡大断面図
【図５】図４に示す巻取り軸の端部の斜視図
【図６】図１のロールスクリーン装置の巻取り軸に回転力を付与する機構を示す拡大断面図
【図７】図５に示す巻取り軸の端からスライドバーを突出させた状態を示す斜視図
【図８】図７に示すスライドバーの巻取り軸の端から突出した部分を係合部材に係合させた状態を示す斜視図
【符号の説明】
【００２６】
２      巻取り軸
３      スクリーン
７      捨て布
９      ガイド溝
１０    スライドバー
１２    凹部
１３    係合部材
１７    コイルばね
【図１】
0004834431.tif 000002
【図２】
0004834431.tif 000003
【図３】
0004834431.tif 000004
【図４】
0004834431.tif 000005
【図５】
0004834431.tif 000006
【図６】
0004834431.tif 000007
【図７】
0004834431.tif 000008
【図８】
0004834431.tif 000009